(57)【要約】  ガスミストを効率的に生体の皮膚又は粘膜から吸収させることが可能であるとともに、装置のコンパクト化及び低コスト化を図ることができるガスミスト圧浴装置を提供する。所定値以上の濃度の酸素、炭酸ガス、又は酸素と炭酸ガスの混合ガス（以下、「ガス」という）を生体の皮膚又は粘膜に接触させるための装置１０であって、前記ガスと液体を粉砕溶解したミスト（以下、「ガスミスト」という）を生成、供給するガスミスト生成手段１１と、前記生体の皮膚又は粘膜を覆い、前記ガスミスト生成手段１１からのガスミストを内部に封入するための、弾性部材からなる略袋状の生体カバー部材２１と、から構成され、前記生体カバー部材２１内にガスミストを供給して該生体カバー部材２１内の内圧を上昇させ、前記ガスミストを所定の圧力値以上で生体の皮膚又は粘膜に接触させる。
2009157539.tif 000002
【特許請求の範囲】
【請求項１】
所定値以上の濃度の酸素、炭酸ガス、又は酸素と炭酸ガスの混合ガス（以下、「ガス」という）を生体の皮膚又は粘膜に接触させるための装置であって、
前記ガスと液体を粉砕溶解したミスト（以下、「ガスミスト」という）を生成、供給するガスミスト生成手段と、
前記生体の皮膚又は粘膜を覆い、前記ガスミスト生成手段からのガスミストを内部に封入するための、弾性部材からなる略袋状の生体カバー部材と、
から構成され、
前記生体カバー部材内にガスミストを供給して該生体カバー部材内の内圧を上昇させ、前記ガスミストを所定の圧力値以上で生体の皮膚又は粘膜に接触させることを特徴とするガスミスト圧浴装置。
【請求項２】
前記生体カバー部材に、該生体カバー部材を補強するための補強手段を設けたことを特徴とするガスミスト圧浴装置。
【請求項３】
前記生体カバー部材には、その開口部にゴム、紐、又は面ファスナーのうち何れか一つ又は複数の組み合わせにより形成される締付手段が設けられており、これにより前記ガスミストの大気中への放散を防止することを特徴とする請求項１に記載のガスミスト圧浴装置。
【請求項４】
前記生体カバー部材の、生体の皮膚又は粘膜に接触する面に、該生体の皮膚又は粘膜に対して粘着性を有する貼着手段を一つ又は複数設けることを特徴とする請求項１に記載のガスミスト圧浴装置。
【請求項５】
前記液体は、水、イオン水、生理食塩水、抗アレルギー剤、抗炎症剤、解熱鎮痛剤、抗真菌剤、又は抗インフルエンザウィルス剤のうち何れか一つ又は複数の組み合わせであることを特徴とする請求項１に記載のガスミスト圧浴装置。
【請求項６】
前記液体は、メンソール、ビタミンＥ、ビタミンＣ誘導体、レチノール、麻酔薬、シクロデキストリン、光触媒とアパタイトの複合体、ヒアルロン酸、コエンザイムＱ１０、シードオイル、プロポリス、高濃度炭酸泉剤のうち、何れか一つ又は複数の薬剤が含有された水、イオン水、生理食塩水、抗アレルギー剤、抗炎症剤、解熱鎮痛剤、抗真菌剤、又は抗インフルエンザウィルス剤の何れかであることを特徴とする請求項１に記載のガスミスト圧浴装置。
【請求項７】
前記ガスミスト生成手段から前記生体カバー部材に供給される前記ガスミストの粒径は、１０μｍ以下であることを特徴とする請求項１に記載のガスミスト圧浴装置。
【請求項８】
前記生体カバー部材の内圧を１．０２乃至２．５気圧とすることを特徴とする請求項１に記載のガスミスト圧浴装置。
【請求項９】
前記生体カバー部材には、前記ガスミスト生成手段から供給されるガスミストを前記生体カバー部材内に導入するためのガスミスト供給口を有し、
該ガスミスト供給口内部には逆止弁が設けられていることを特徴とする請求項１に記載のガスミスト圧浴装置。
【請求項１０】
前記ガスミスト生成手段が、前記生体カバー部材内へガスミストを供給するためのガスミスト供給管を有し、
該ガスミスト供給管が、管内に付着する液滴を除去するためのフィルターを備えることを特徴とする請求項１に記載のガスミスト圧浴装置。
【請求項１１】
前記ガスミスト生成手段が、前記生体カバー部材内へガスミストを供給するためのガスミスト供給管を有し、
該ガスミスト供給管の全部又は一部がジャバラ状の管から構成されることを特徴とする請求項１に記載のガスミスト圧浴装置。
【請求項１２】
前記ガスミスト生成手段が、前記生体カバー部材内へガスミストを供給するためのガスミスト供給管を有し、
該ガスミスト供給管に、逆止弁を設けることを特徴とする請求項１に記載のガスミスト圧浴装置。
【発明の詳細な説明】
【技術分野】
【０００１】
本発明は、炭酸ガス、酸素、又は炭酸ガスと酸素の混合ガスと液体とを粉砕溶解したガスミストを生体の皮膚又は粘膜に直接接触させて血液循環を改善させるためのガスミスト圧浴装置に関する。
【背景技術】
【０００２】
従来から、炭酸ガス（二酸化炭素：ＣＯ２）は、水に溶けやすい（水溶性）だけでなく油にも溶けやすい（脂溶性）という性質を双方併せ持つおかげで、水と油の混じったような生体の皮膚及び粘膜に触れるだけでその皮下に浸透し、浸透部位の血管を拡張させて血液循環を改善する作用があることが知られている。そしてこの血行促進作用により、血圧降下、代謝の改善、疼痛物質や老廃物の排除促進等、様々な生理的効果を発揮する。また、抗炎症、抗菌作用も有している。このため、近年、炭酸ガスは医療目的のほか、健康増進、美容促進といった点からも注目を集めている。【０００３】
生体の組織中で二酸化炭素は、赤血球内のヘモグロビンに結合して運ばれた酸素を放出させる働きがある。二酸化炭素濃度の高いところでは、赤血球はより多くの酸素を放出する。このように、赤血球による細胞への酸素の供給は、主に二酸化炭素がコントロールしている。つまり、二酸化炭素なしでは、ヘモグロビンは酸素が結合したままの状態となり、細胞は酸素を受け取ることができなくなってしまう。このように、二酸化炭素は、細胞の活動の結果出てくる老廃物のように思われがちだが、実は体の中で非常に重要な役割を果たしている。【０００４】
また、近年では、高濃度酸素も、新陳代謝の活性、疲労回復、血圧の安定等に効果があることが広く知られている。【０００５】
炭酸ガスを生体の比較的狭い局所において吸収させるための技術としては、これまでに以下のようなものが開示されている。
（１）密閉可能な簡易カバーを人体の局所に装着し、その簡易カバー内に炭酸ガスを導入して炭酸ガス浴を行う装置（例えば、特許文献１参照）。
（２）密閉可能な容器に人体の局所を挿入（あるいは、密閉可能な容器を人体の局所に装着）し、その容器内に炭酸ガスを導入して炭酸ガス浴を行う装置（例えば、特許文献２参照）。
（３）袋体や筒状体、一部開口を有する容器等からなる密閉包囲材を人体の局所に装着し、炭酸ガスの経皮吸収を助ける吸収補助材を封入して密閉包囲材内を密閉し、その密閉包囲材内に炭酸ガスを導入して炭酸ガス浴を行う装置（例えば、特許文献３参照）。【０００６】
なお、ガスミスト生成手段と、加圧手段と、生体の皮膚又は粘膜を覆い炭酸ガスを所定の圧力値以上で生体の皮膚又は粘膜に接触させるための一層又は二層構造の被覆部材とを少なくとも備える炭酸ガス圧浴装置が、本発明者によりこれまでに提案されている。
【先行技術文献】
【特許文献】
【０００７】
【特許文献１】特開平０７−１７１１８９号公報
【特許文献２】特開２００７−２５２８７１号公報
【特許文献３】再公表特許ＷＯ２００４／００２３９３号公報
【発明の概要】
【発明が解決しようとする課題】
【０００８】
しかしながら、上記特許文献１乃至３に記載された従来の炭酸ガス浴のための装置では、炭酸ガスを封入する容器やカバー、袋体の容積が大きく、全体に充満させると炭酸ガスを大量に消費してしまうという問題があった。しかし、装置を実用化するためには使用者の様々な体型に対応できるように、容器やカバー、袋体にある程度余裕を持たせることは不可欠である。そのため炭酸ガスの密閉空間をコンパクトにするのは難しく、結果として炭酸ガスの消費量を抑えることは困難だった。【０００９】
一方、本発明者により既に提案されている炭酸ガス圧浴装置では、加圧手段によって所定の圧力値以上で炭酸ガスを皮膚又は粘膜に接触させることにより、炭酸ガスの皮膚又は粘膜からの吸収率を大幅に向上させることができるが、一方で、加圧手段としてコンプレッサ等の装置が必要となる。そのため、コストの増加を招くとともに装置が大掛かりとなり、家庭などでの日常的な使用には適さないという問題を有していた。また、被覆部材を二層に設ける等、その構造が複雑であるため、製造コストが上昇してしまう。【００１０】
さらに、炭酸ガスだけでなく、酸素や、又炭酸ガスと酸素の混合ガスを高効率に経皮吸収できる装置はこれまでになかった。【００１１】
本発明は、上記従来の問題点に鑑みて、ガスミストを効率的に生体の皮膚又は粘膜から吸収させることが可能であるとともに、装置のコンパクト化及び低コスト化を図ることができるガスミスト圧浴装置を提供することを目的とする。
【課題を解決するための手段】
【００１２】
このため本発明は、所定値以上の濃度の酸素、炭酸ガス、又は酸素と炭酸ガスの混合ガス（以下、「ガス」という）を生体の皮膚又は粘膜に接触させるための装置であって、前記ガスと液体を粉砕溶解したミスト（以下、「ガスミスト」という）を生成、供給するガスミスト生成手段と、前記生体の皮膚又は粘膜を覆い、前記ガスミスト生成手段からのガスミストを内部に封入するための、弾性部材からなる略袋状の生体カバー部材と、から構成され、前記生体カバー部材内にガスミストを供給して該生体カバー部材内の内圧を上昇させ、前記ガスミストを所定の圧力値以上で生体の皮膚又は粘膜に接触させることを特徴とするガスミスト圧浴装置を提供する。【００１３】
なお、本願においては、液体を粉砕し微細な液滴にして気体（炭酸ガス、酸素、又は炭酸ガスと酸素の混合ガス）と接触混合させることを、粉砕溶解という。【００１４】
ここで、前記生体カバー部材には、その生体カバー部材を補強するための補強手段を設けるのが好適である。また、前記生体カバー部材には、その開口部にゴム、紐、又は面ファスナーのうち何れか一つ又は複数の組み合わせにより形成される締付手段が設けられており、これにより前記ガスミストの大気中への放散を防止する。そして、この生体カバー部材の、生体の皮膚又は粘膜に接触する面には、その生体の皮膚又は粘膜に対して粘着性を有する貼着手段を一つ又は複数設けるのが好ましい。【００１５】
そして、前記液体は、水、イオン水、生理食塩水、抗アレルギー剤、抗炎症剤、解熱鎮痛剤、抗真菌剤、又は抗インフルエンザウィルス剤のうち何れか一つ又は複数の組み合わせを用いるのが好適である。又は、前記液体は、メンソール、ビタミンＥ、ビタミンＣ誘導体、レチノール、麻酔薬、シクロデキストリン、光触媒とアパタイトの複合体、ヒアルロン酸、コエンザイムＱ１０、シードオイル、プロポリス、高濃度炭酸泉剤のうち、何れか一つ又は複数の薬剤が含有された水、イオン水、生理食塩水、抗アレルギー剤、抗炎症剤、解熱鎮痛剤、抗真菌剤、又は抗インフルエンザウィルス剤の何れかであるのが良い。【００１６】
ここで前記ガスミスト生成手段から前記生体カバー部材に供給される前記ガスミストの粒径は、１０μｍ以下であるのが好ましい。【００１７】
また、前記生体カバー部材の内圧は、１．０２乃至２．５気圧が最適である。【００１８】
さらに、前記生体カバー部材は、前記ガスミスト生成手段から供給されるガスミストを前記生体カバー部材内に導入するためのガスミスト供給口を有し、このガスミスト供給口内部には逆止弁が設けられるのが好適である。【００１９】
また、前記ガスミスト生成手段が、前記生体カバー部材内へガスミストを供給するためのガスミスト供給管を有し、このガスミスト供給管が、管内に付着する液滴を除去するためのフィルターを備えるようにするのが良い。さらにこのガスミスト供給管の全部又は一部は、ジャバラ状の管から構成されるのが好適である。また、このガスミスト供給管には、逆止弁を設けるのが良い。
【発明の効果】
【００２０】
本発明のガスミスト圧浴装置によれば、ガスミスト圧浴を行うための生体カバー部材を弾性部材から構成することにより、ガスミストを生体カバー部材内に供給するだけで生体カバー部材内を加圧することができる。これにより、別途加圧手段を設ける必要がなくなり、装置のコンパクト化が実現できる。また、加圧するために特別な動作も必要がないため、ガスミストを生体カバー部材内に供給するだけで簡便かつ効率よくガスミスト圧浴を行うことができる。
【図面の簡単な説明】
【００２１】
【図１】本発明の一実施形態に係るガスミスト圧浴装置の全体概略図である。
【図２】本発明の一実施形態に係るガスミスト圧浴装置における生体圧浴カバーの斜視図である。
【図３】本発明のガスミスト圧浴装置に用いられるガスミスト供給管の一例を示す模式図である。
【発明を実施するための形態】
【００２２】
以下、本発明の実施の形態について、図面を参照しながら詳細に説明する。
【００２３】
図１は、本発明の一実施形態に係るガスミスト圧浴装置の全体概略図、図２は、そのガスミスト圧浴装置における生体圧浴カバーの斜視図である。
【００２４】
本実施形態に係るガスミスト圧浴装置１０は、図１に示すように、ガスミストを生成、供給するガスミスト生成装置１１と、使用者の局所（ここでは例として、人体の手部）を覆ってその部位の皮膚又は粘膜にガスミストを直接接触、吸収させるための生体圧浴カバー（生体カバー手段）２１とから構成される。
【００２５】
ガスミスト生成装置１１は、液体とガスボンベ等のガス供給手段を内部に備え、あるいは、外部の液体供給手段とガスボンベ等のガス供給手段に接続され、液体とガスとを粉砕溶解したミスト（ガスミスト）を生成し、生体圧浴カバー２１内に供給する装置である。例えば、流体ノズルを備え、ガス供給手段から供給されるガスの高速流を利用して液体を粉砕溶解させてガスミストを生成する装置のほか、液体中にガスを高圧で噴射することによりガスミストを生成する装置等、様々な方式のガスミスト生成装置を用いることができる。この際、生成されるミストの粒径は１０μｍ以下であるのが最適である。
【００２６】
なお、ガスミストの生成に用いられる液体は、水、イオン水、生理食塩水のほか、抗アレルギー剤、抗炎症剤、解熱鎮痛剤、抗真菌剤、抗インフルエンザウィルス剤等の、使用者の疾患、症状等に有効な薬液を用いるのが良い。この液体にはさらに、清涼作用のあるメンソールや、血行を促進させるビタミンＥ、皮膚組織に吸収されやすく美肌効果の高いビタミンＣ誘導体、皮膚の角化作用を正常にし粘膜を保護するレチノール、粘膜への刺激を和らげるための麻酔薬、臭気を除去するためのシクロデキストリン、殺菌、消炎効果のある光触媒とアパタイトの複合体、保水力に優れ肌の保湿効果を有するヒアルロン酸、細胞を活性化し免疫力を向上させるコエンザイムＱ１０、抗酸化物質や多量の栄養素を含むシードオイル、抗酸化作用、抗菌作用、抗炎症作用、鎮痛・麻酔作用、免疫作用等を有するプロポリス等を単独あるいは複数組み合わせて混合して、ガスの生理作用との相乗効果を生じさせることも可能である。さらに、炭酸塩と有機酸を主成分とする高濃度炭酸泉剤（有効成分の一例としては、硫酸塩、炭酸塩、有機酸、ジクロロイソシアヌル酸ナトリウム）を添加しても良い。
【００２７】
生成されたガスミストは、ガスミスト生成装置１１と接続されたガスミスト供給管１２により生体圧浴カバー２１内に供給される。このガスミスト供給管１２の内部には、ガスミストの逆流を防ぐための逆止弁が設けられている。また、ガスミスト供給管１２には、図示しないが管内に付着する余分な液滴を取り除くための液滴除去フィルターが設けられている。
【００２８】
さらに、ガスミスト供給管１２は、図３に示すように、その全部又は一部が管径の太い柔軟なジャバラ状の管１２Ａから構成されるのが好適である。このようにジャバラ状の管１２Ａで構成すれば、自在に曲がり、伸縮させることもできるため、使用者の動きを制限することもない。また、ガスミスト供給管１２を流れるガスミストが次第に液化してもジャバラの凹凸部にその液体を取り除くことが可能となる。
【００２９】
生体圧浴カバー２１は、生体の局所（ここでは例として、人体の手部）を被覆できる程度の大きさの略袋体から構成される。この略袋体の生体圧浴カバー２１は、弾性を有する素材よりなり、生体の局所を挿入した際には皮膚又は粘膜にぴったりとフィットする程度に収縮し、炭酸ガスを封入した際にはある程度膨張するものを用いる。また、ガスミストを内部に封じ込めるため、非通気非透湿性も併せ持つ素材より構成する。例えばシリコンゴム、ラテックスゴム等が好適である。
【００３０】
この生体圧浴カバー２１の開口部には、ガスミストの漏出を防ぐための止着部２２（ここでは紐）が設けられている。止着部２２は例えば、伸縮性のある面ファスナー、紐、ゴムにより構成されるのが好適である。これらは単独で用いられても良いし複数を組み合わせても良い。さらに、生体圧浴カバー２１内の密閉性を高めるために、止着部２２の内側面や生体圧浴カバー２１の内側面等、使用者の皮膚又は粘膜の接触する面に、貼着部２７を設ける。貼着部２７の生体に接触する側には、生体の皮膚又は粘膜に粘着する貼着素材が配置される。この粘着素材は、例えばポリウレタンやシリコンゴム等からなる粘弾性ゲルであるのが好ましい。またこの粘着素材は取り外し可能なものを用いて、使用の都度あるいは粘性が弱くなれば交換できる構成とするのが最適である。
【００３１】
また、生体圧浴カバー２１の止着部２２に対向する先端部には、ガスミスト供給口２３が設けられている。このガスミスト供給口２３に、一端がガスミスト生成装置１１に接続されたガスミスト供給管１２の他端を接続して、生体圧浴カバー２１内にガスミストを導入する。このガスミスト供給口２３の内部には、ガスの逆流を防ぐための逆止弁が設けられている。また、生体圧浴カバー２１の先端とガスミスト供給口２３の接続部には、シーリング部２４が設けられている。
【００３２】
さらに、生体圧浴カバー２１はその外周に沿ってリング状に非伸縮部２５が形成されている。この非伸縮部２５は、生体圧浴カバー２１を補強するため、また生体圧浴カバー２１内にガスミストが供給された際に必要以上に生体圧浴カバー２１を膨張させて生体圧浴カバー２１内の容積を増加させないために設けられている。また、生体圧浴カバー２１の先端近傍には生体圧浴カバー２１の補強のために、リブ（筋）２６が形成されている。
【００３３】
次に、上記のような構成を有するガスミスト圧浴装置を用いたガスミスト圧浴の方法について、具体的に説明する。まず、ガスミスト圧浴を行う使用者の局所を生体圧浴カバー２１内に挿入する。次いで止着部２２を止着し、ガスミスト供給口２３から生体圧浴カバー２１内の空気をできるだけ抜いておく。そして一端がガスミスト生成装置１１に接続されたガスミスト供給管１２の他端とガスミスト供給口２３とを接続する。これで生体圧浴カバー２１内は略密閉状態となる。次に、ガスミストをガスミスト生成装置１１から供給する。ガスミストが生体圧浴カバー２１内に供給されると、生体圧浴カバー２１は風船状に膨張し、内圧が上昇する。そこで、適度な加圧状態（約１．０２〜２．５気圧）にあり、かつ圧浴を行える程度に生体圧浴カバー２１内にガスミストが充填されたら、ガスミスト生成装置１１からのガスミストの供給を停止してその状態を維持し、ガスミスト圧浴を行う。このように、生体圧浴カバー２１内を適度な加圧状態に置くことで、生体圧浴カバー２１内に充填されたガスミストを効率よく皮膚又は粘膜から吸収させることができる。
【００３４】
なお、上記実施形態では図示を省略したが、生体圧浴カバー内には、ガスの濃度計（炭酸ガス濃度計、酸素濃度計等）や圧力計を挿入するようにしても良い。
【００３５】
上記のように構成したため、本発明のガスミスト圧浴装置によれば、ガスミスト圧浴を行うための生体カバー部材を弾性部材から構成することにより、ガスミストを生体カバー部材内に供給するだけで生体カバー部材内を加圧することができる。これにより、別途加圧手段を設ける必要がなくなり、装置のコンパクト化が実現できる。また、加圧するために特別な動作も必要がないため、ガスミストを生体カバー部材内に供給するだけで簡便かつ効率よくガスミスト圧浴を行うことができる。
【００３６】
以上、本発明の実施形態について説明したが、本発明は上記実施形態に限定されるものではなく、本発明の趣旨に基づき種々の変形が可能であり、これらを本発明の範囲から排除するものではない。
【産業上の利用可能性】
【００３７】
本発明は、炭酸ガス、酸素、又は炭酸ガスと酸素の混合ガスと液体とを粉砕溶解したガスミストを生体の皮膚又は粘膜に直接接触させて血液循環を改善させるためのガスミスト圧浴装置に関し、産業上の利用可能性を有する。
【符号の説明】
【００３８】
１０      ガスミスト圧浴装置
１１      ガスミスト生成装置
１２      ガスミスト供給管
１２Ａ    ジャバラ状の管
２１      ガスミスト生体圧浴カバー
２２      止着部
２３      ガスミスト供給口
２４      シーリング部
２５      非伸縮部
２６      リブ
２７      貼着部
【図１】
2009157539.tif 000003
【図２】
2009157539.tif 000004
【図３】
2009157539.tif 000005
【国際調査報告】
2009157539.tif 000006
2009157539.tif 000007
2009157539.tif 000008
2009157539.tif 000009
2009157539.tif 000010
2009157539.tif 000011
2009157539.tif 000012